(57)【要約】 【課題】検体に関する検査データの患者属性情報を変更する際の利便性を向上させる。【解決手段】属性情報更新端末６０は、患者属性情報を管理する情報処理装置（電子カルテサーバ３０、医用画像サーバ５０）に患者属性情報取得要求を送信し、取得要求に応じた患者属性情報を取得する。属性情報更新端末６０は、この患者属性情報に基づいて、検査データ管理サーバ７０よって記憶管理されている検査データの患者属性情報を更新させる命令（更新対象のＨＬ７準拠検体検査結果データと上書き命令）を生成する。属性情報更新端末６０は、更新対象のＨＬ７準拠検体検査結果データと上書き命令とを検査データ管理サーバ７０に送信する。検査データ管理サーバ７０は、更新対象のＨＬ７準拠検体検査結果データと上書き命令とに基づいて、元のＨＬ７準拠検体検査結果データを更新する。【選択図】図１
2010146348.tif 000002
【特許請求の範囲】
【請求項１】
患者から採取した検体に関する検査データを記憶管理する検査データ管理サーバ及び患者属性情報を管理する一又は複数の情報処理装置に通信可能に接続された属性情報更新端末であって、
前記情報処理装置から前記患者属性情報を取得する取得手段と、
前記取得された患者属性情報に基づいて、前記検査データ管理サーバによって記憶管理されている検査データの患者属性情報を更新させる命令を生成して前記検査データ管理サーバに出力する制御手段と、
を備える属性情報更新端末。
【請求項２】
前記制御手段は、更新対象となる検査データを指定し、当該指定した検査データの患者属性情報を更新させる命令を生成して前記検査データ管理サーバに出力する、
請求項１に記載の属性情報更新端末。
【請求項３】
前記取得手段は、患者属性情報の取得要求を前記情報処理装置に送信し、前記取得要求に応じた患者属性情報を取得する、
請求項１又は２に記載の属性情報更新端末。
【請求項４】
前記患者属性情報は、患者ＩＤ及び／又は患者名を含む、
請求項１〜３の何れか一項に記載の属性情報更新端末。
【請求項５】
患者から採取した検体に関する検査データを記憶管理する検査データ管理サーバと、患者属性情報を管理する一又は複数の情報処理装置と、通信可能に接続されたコンピュータを、
前記情報処理装置から前記患者属性情報を取得する取得手段、
前記取得された患者属性情報に基づいて、前記検査データ管理サーバによって記憶管理されている検査データの患者属性情報を更新させる命令を生成して前記検査データ管理サーバに出力する制御手段、
として機能させるためのプログラム。
【請求項６】
前記制御手段は、更新対象となる検査データを指定し、当該指定した検査データの患者属性情報を更新させる命令を生成して前記検査データ管理サーバに出力する、
請求項５に記載のプログラム。
【請求項７】
前記取得手段は、患者属性情報の取得要求を前記情報処理装置に送信し、前記取得要求に応じた患者属性情報を取得する、
請求項５又は６に記載のプログラム。
【請求項８】
前記患者属性情報は、患者ＩＤ及び／又は患者名を含む、
請求項５〜７の何れか一項に記載のプログラム。
【発明の詳細な説明】
【技術分野】
【０００１】
本発明は、属性情報更新端末及びプログラムに関する。
【背景技術】
【０００２】
病理検査や臨床検査は、患者の健康状態を把握し、病名診断を行うための重要な検査である。これらの検査では、患者から採取した血液や細胞、尿、便などの検体を検査対象とする。病理検査や臨床検査では、分析器を用いて検体を分析（検査）し、検査結果を得る。検査結果としては、検体における特性の成分量や抗体反応の有無、腫瘍マーカー値等が挙げられる。この検査結果は、患者や医療従事者の主観によらない客観的なデータである。そのため、病理検査や臨床検査において、患者を識別する必要性は低い。
【０００３】
ところで、小規模な医療施設は、分析器を備えていない場合が多い。そのため、小規模な医療施設では、分析器を備えた分析センターに検体の検査を依頼する（外注する）ことが日常的に行われている。
【０００４】
しかし、医療施設で管理している患者の識別子（患者ＩＤ）と、分析センターで管理している検体の識別子（検体ＩＤ）とは、対応付けられていなかった。そのため、医療施設において、分析センターからの検査結果のデータ（検査データ）を取り込む際、この検査データに対して、患者属性（患者ＩＤや患者名）等の識別子を手入力で付与していた。
【０００５】
また、患者の診断対象部位を被写体として撮影して生成された医用画像を管理する技術として、医用画像に付帯する識別子に基づいて、患者−検査−シリーズ−医用画像のような階層構造で医用画像を管理し、ある上位の階層と関連付けられている下位の階層を、別の上位の階層と関連付けるものが開示されている（特許文献１参照）。
【特許文献１】特開２００７−３１３２１９号公報
【発明の開示】
【発明が解決しようとする課題】
【０００６】
ところで、分析センターからの検査データに対する識別子の手入力において、入力ミスを皆無にすることは難しい。また、身元不明の救急患者の検査データに対する識別子の手入力においては、患者属性が分からず、仮の患者ＩＤや患者名が入力される場合がある。更に、識別子を手入力で修正（変更）する手段が提供されていても、この修正作業は煩雑である。そのため、ユーザは、識別子の誤りに気付いても識別子を修正せずに放置してしまう場合が多い。
【０００７】
本発明は、上述したような課題に鑑みて為されたものであり、その目的とするところは、検体に関する検査データの患者属性情報を変更する際の利便性を向上させることである。
【課題を解決するための手段】
【０００８】
上記の課題を解決するために、請求項１に記載の発明は、
患者から採取した検体に関する検査データを記憶管理する検査データ管理サーバ及び患者属性情報を管理する一又は複数の情報処理装置に通信可能に接続された属性情報更新端末であって、
前記情報処理装置から前記患者属性情報を取得する取得手段と、
前記取得された患者属性情報に基づいて、前記検査データ管理サーバによって記憶管理されている検査データの患者属性情報を更新させる命令を生成して前記検査データ管理サーバに出力する制御手段と、
を備える。
【０００９】
請求項２に記載の発明は、請求項１に記載の発明において、
前記制御手段は、更新対象となる検査データを指定し、当該指定した検査データの患者属性情報を更新させる命令を生成して前記検査データ管理サーバに出力する。
【００１０】
請求項３に記載の発明は、請求項１又は２に記載の発明において、
前記取得手段は、患者属性情報の取得要求を前記情報処理装置に送信し、前記取得要求に応じた患者属性情報を取得する。
【００１１】
請求項４に記載の発明は、請求項１〜３の何れか一項に記載の発明において、
前記患者属性情報は、患者ＩＤ及び／又は患者名を含む。
【００１２】
請求項５に記載のプログラムは、
患者から採取した検体に関する検査データを記憶管理する検査データ管理サーバと、患者属性情報を管理する一又は複数の情報処理装置と、通信可能に接続されたコンピュータを、
前記情報処理装置から前記患者属性情報を取得する取得手段、
前記取得された患者属性情報に基づいて、前記検査データ管理サーバによって記憶管理されている検査データの患者属性情報を更新させる命令を生成して前記検査データ管理サーバに出力する制御手段、
として機能させる。
【００１３】
請求項６に記載の発明は、請求項５に記載の発明において、
前記制御手段は、更新対象となる検査データを指定し、当該指定した検査データの患者属性情報を更新させる命令を生成して前記検査データ管理サーバに出力する。
【００１４】
請求項７に記載の発明は、請求項５又は６に記載の発明において、
前記取得手段は、患者属性情報の取得要求を前記情報処理装置に送信し、前記取得要求に応じた患者属性情報を取得する。
【００１５】
請求項８に記載の発明は、請求項５〜７の何れか一項に記載の発明において、
前記患者属性情報は、患者ＩＤ及び／又は患者名を含む。
【発明の効果】
【００１６】
請求項１、５に記載の発明によれば、属性情報更新端末は、患者属性情報を管理する情報処理装置から当該患者属性情報を取得する。属性情報更新端末は、取得した患者属性情報に基づいて、検査データ管理サーバによって記憶管理されている検査データの患者属性情報を更新させる命令を生成する。そして、属性情報更新端末は、生成した命令を検査データ管理サーバに出力する。検査データ管理サーバは、この命令に基づいて検査データの患者属性情報を更新する。
【００１７】
そのため、ユーザは、変更（更新）対象となる検査データの患者属性情報の値を手入力する必要がなく、検体に関する検査データの患者属性情報を変更する際の利便性を向上させることができる。
【００１８】
請求項２、６に記載の発明によれば、ユーザが所望する検査データの患者属性情報を更新することができる。
【００１９】
請求項３、７に記載の発明によれば、ユーザが所望する条件の患者属性情報を情報処理装置から取得することができる。
【００２０】
請求項４、８に記載の発明によれば、患者ＩＤ及び／又は患者名に基づいて、検査データを識別することができる。
【発明を実施するための最良の形態】
【００２１】
以下、図面を参照して本発明の一実施形態について説明する。
【００２２】
[診断システムのシステム構成]
図１に、診断システム１００のシステム構成を示す。
【００２３】
診断システム１００は、開業医やクリニック等の比較的小規模の医療施設に適用される。診断システム１００は、医事会計システム１０と、クライアントＰＣ２０と、電子カルテサーバ３０と、モダリティ４０と、医用画像サーバ５０と、属性情報更新端末６０と、検査データ管理サーバ７０と、検査データ取込装置８０と、から構成されている。上記の各装置及びシステムはＬＡＮ（Local Area Network）等の通信ネットワークＮ１を介してデータ通信可能に接続されている。更に、上記の各装置及びシステムは、インターネット等の通信ネットワークＮ２を介して分析センターに設置された分析器９０とデータ通信可能に接続されている。
【００２４】
モダリティ４０は、患者の診断対象部位を被写体として撮影を行い、撮影した画像をデジタル変換して医用画像を生成する画像生成装置である。医用画像は、医療の分野で読影診断に用いられる画像である。モダリティ４０は、生成した医用画像に付帯情報を付帯させ、ＤＩＣＯＭ規格に則ったＤＩＣＯＭ準拠画像データを生成する。付帯情報には、患者の属性を示す患者属性情報が含まれる。モダリティ４０は、生成したＤＩＣＯＭ準拠画像データを医用画像サーバ５０に送信する。モダリティ４０としては、超音波診断装置（ＵＳ）やＦＰＤ（Flat Panel Detector）等が適用可能である。
【００２５】
医用画像サーバ５０は、モダリティ４０において生成されたＤＩＣＯＭ準拠画像データを記憶し、管理する（記憶管理する）情報処理装置である。医用画像サーバ５０としてＰＡＣＳ（Picture Archiving and Communication System）等が適用可能である。
【００２６】
医用画像サーバ５０は、外部機器から医用画像取得要求を受信した場合、当該取得要求に応じたＤＩＣＯＭ準拠画像データを当該外部機器に送信（提供）する。医用画像サーバ５０は、外部機器から患者属性情報取得要求を受信した場合、この取得要求に応じた患者属性情報をＤＩＣＯＭ準拠画像データから抽出し、外部機器に送信（提供）する。
【００２７】
分析器９０は、患者から採取した血液や尿等の検体を分析（検査）し、分析結果としての検査データを生成する。検査データには、一又は複数の検査項目が含まれる。例えば、検体が血液である場合、検査データには、「総蛋白」「ＧＯＴ」「ＧＰＴ」「ＬＤＨ」等の項目が含まれる。分析器９０は、生成した検査データを通信ネットワークＮ２を介して検査データ取込装置８０に送信する。分析センターでは、各医療施設からの検査依頼に応じて、これらの医療施設から持ち込まれた検体を分析器９０により分析し、分析結果である検査データを提供する。
【００２８】
検査データ取込装置８０は、後述する検査データ管理サーバ７０に検査データを取り込むための装置である。検査データ取込装置８０は、通信ネットワークＮ２を介して分析器９０から検査データを受信する。検査データ取込装置８０は、受信した検査データに対して各種処理を施し、この検査データを、ＨＬ７規格に則ったＨＬ７準拠検体検査結果データとして検査データ管理サーバ７０に送信する。この各種処理の一つとして、検査データ取込装置８０は、検査データに識別子を付与する。
【００２９】
具体的に、検査データ取込装置８０は、患者属性情報を生成し、検査データに付与する。そして、検査データ取込装置８０は、ユーザ操作による操作部８２（図４参照）からの操作信号に基づいて、患者属性情報に値を与える。もしくは、検査データ取込装置８０は、自動で患者属性情報に値を与える。
【００３０】
検査データ管理サーバ７０は、検査データ取込装置８０から送信（出力）されたＨＬ７準拠検体検査結果データを記憶し、管理する（記憶管理する）。検査データ管理サーバ７０は、外部機器から検査データ取得要求を受信した場合、この取得要求に応じたＨＬ７準拠検体検査結果データを外部機器に送信（提供）する。
【００３１】
医事会計システム１０は、来院した患者の受付登録、会計計算、保険点数計算等を行うためのコンピュータ装置である。医事会計システム１０は、ユーザの操作により来院した患者の受付登録を行うと、来院情報を生成する。医事会計システム１０は、生成した来院情報を記憶し管理する（記憶管理する）。医事会計システム１０は、生成した来院情報を電子カルテサーバ３０に送信する。来院情報は、患者の来院日時や保険証番号等を示す情報である。来院情報は、来院した患者の属性を示す患者属性情報を含む。
【００３２】
医事会計システム１０は、電子カルテサーバ３０から処方データを受信（取得）する。処方データとは、診断の処置内容や患者に処方する薬等を示す情報である。処方データは、患者の属性を示す患者属性情報を含む。医事会計システム１０は、受信した処方データと生成した来院情報とに基づいて、来院した患者の会計計算や保険点数計算を行う。
【００３３】
電子カルテサーバ３０は、クライアントＰＣ２０において作成された診療録データ（患者の病状や診断結果等の情報）や処方データを記憶し、管理する（記憶管理する）情報処理装置である。電子カルテサーバ３０は、医事会計システム１０から受信した来院情報を記憶し、管理する（記憶管理する）。電子カルテサーバ３０は、記憶管理している処方データを医事会計システム１０に送信する。
【００３４】
電子カルテサーバ３０は、外部機器から来院情報取得要求を受信した場合、この取得要求に応じた来院情報を外部機器に送信（提供）する。電子カルテサーバ３０は、外部機器から患者属性情報取得要求を受信した場合、この取得要求に応じた患者属性情報を来院情報、診療録データ、処方データ等から読み出し、外部機器に送信（提供）する。
【００３５】
クライアントＰＣ２０は、電子カルテサーバ３０、医用画像サーバ５０、検査データ管理サーバ７０等のクライアント端末である。クライアントＰＣ２０は、医療施設の診療室等に設置される。医師は、クライアントＰＣ２０を利用して患者の診断を行う。
【００３６】
クライアントＰＣ２０は、ユーザの操作による操作信号等に基づき、医用画像サーバ５０に医用画像取得要求を送信し、当該取得要求に応じたＤＩＣＯＭ準拠画像データを取得する。クライアントＰＣ２０は、当該ＤＩＣＯＭ準拠画像データに基づき画面に医用画像を表示する。
【００３７】
クライアントＰＣ２０は、ユーザの操作による操作信号等に基づき、検査データ管理サーバ７０に検査データ取得要求を送信し、当該取得要求に応じたＨＬ７準拠検体検査結果データを取得する。クライアントＰＣ２０は、当該ＨＬ７準拠検体検査結果データに基づき画面に検査データを表示する。
【００３８】
クライアントＰＣ２０は、ユーザの操作による操作信号等に基づき、電子カルテサーバ３０に来院情報取得要求を送信し、当該取得要求に応じた来院情報を取得する。
【００３９】
クライアントＰＣ２０は診療録データ作成機能を有する。クライアントＰＣ２０は、ユーザの操作による操作信号や、電子カルテサーバ３０から取得した来院情報等に基づき、診療録データや処方データを作成する。クライアントＰＣ２０は、作成した診療録データや処方データを電子カルテサーバ３０に送信する。電子カルテサーバ３０は、送信された診療録データや処方データを保存する。
【００４０】
属性情報更新端末６０は、検査データ管理サーバ７０において記憶管理されているＨＬ７準拠検体検査結果データに含まれる患者属性情報を更新する端末である。
【００４１】
属性情報更新端末６０は、属性情報更新処理を行う。図２に示すように、属性情報更新端末６０は、ユーザ操作による操作部６２（図６参照）からの操作信号に基づいて、患者属性情報の更新対象となるＨＬ７準拠検体検査結果データを取得する旨の信号である検査データ取得要求を検査データ管理サーバ７０に送信する。そして、属性情報更新端末６０は、取得要求に応じたＨＬ７準拠検体検査結果データを取得する。つまり、属性情報更新端末６０は、検査データ管理サーバ７０において記憶管理されているＨＬ７準拠検体検査結果データの中から、患者属性情報を更新するデータを指定する。
【００４２】
次に、属性情報更新端末６０は、医用画像サーバ５０や電子カルテサーバ３０に患者属性情報取得要求を送信し、取得要求に応じた患者属性情報を受信（取得）する。つまり、属性情報更新端末６０は、医用画像サーバ５０や電子カルテサーバ３０に対して患者属性情報の検索を行う。ここで、医用画像サーバ５０、電子カルテサーバ３０は、患者属性情報を管理する情報処理装置である。
【００４３】
次に、属性情報更新端末６０は、検査データ管理サーバ７０から取得したＨＬ７準拠検体検査結果データに含まれる患者属性情報に、情報処理装置（医用画像サーバ５０や電子カルテサーバ３０）から取得した患者属性情報を上書きする。つまり、属性情報更新端末６０は、更新対象として指定したＨＬ７準拠検体検査結果データの患者属性情報を修正（更新）する。
【００４４】
そして、属性情報更新端末６０は、患者属性情報を上書きしたＨＬ７準拠検体検査結果データと上書き命令とを検査データ管理サーバ７０に送信する。検査データ管理サーバ７０は、元のＨＬ７準拠検体検査結果データに、属性情報更新端末６０から受信したＨＬ７準拠検体検査結果データを上書きする。つまり、属性情報更新端末６０は、検査データ管理サーバ７０に患者属性情報を更新させる。
【００４５】
[検査データ管理サーバの機能的構成]
図３に、検査データ管理サーバ７０の機能的構成を示す。
【００４６】
図３に示すように、検査データ管理サーバ７０は、制御部７１、操作部７２、表示部７３、通信部７４、記憶部７５を備えて構成され、各部はバス７６により接続されている。
【００４７】
制御部７１は、ＣＰＵ（Central Processing Unit）、ＲＡＭ（Random Access Memory）等から構成され、検査データ管理サーバ７０の各部の処理動作を統括的に制御する。具体的には、ＣＰＵは、操作部７２から入力される操作信号又は通信部７４により受信される指示信号に応じて、記憶部７５に記憶されている各種処理プログラムを読み出し、ＲＡＭ内に形成されたワークエリアに展開し、当該プログラムとの協働により各種処理を行う。
【００４８】
操作部７２は、カーソルキー、数字入力キー、及び各種機能キー等を備えたキーボードと、マウス等のポインティングデバイスを備えて構成され、キーボードに対するキー操作やマウス操作により入力された操作信号を制御部７１に出力する。
【００４９】
表示部７３は、ＬＣＤ（Liquid Crystal Display）により構成され、制御部７１から入力される表示データに基づいて各種画面を表示する。
【００５０】
通信部７４は、ＬＡＮ（Local Area Network）アダプタ、ルータ、ＴＡ（Terminal Adapter）等を備え、通信ネットワークＮ１を介して接続された検査データ取込装置８０、クライアントＰＣ２０、属性情報更新端末６０等の外部機器との間でデータの送受信を行う。
【００５１】
記憶部７５は、ハードディスク等から構成され、制御プログラム、当該プログラムの実行に必要なパラメータやファイル等を記憶している。また、記憶部７５は、一又は複数のＨＬ７準拠検体検査結果データを記憶する。また、記憶部７５は、ＨＬ７準拠検体検査結果データを管理するデータベースプログラムを記憶する（図示せず）。
【００５２】
制御部７１は、記憶部７５に記憶されたデータベースプログラムと協働して、記憶部７５に記憶されているＨＬ７準拠検体検査結果データを管理する。
【００５３】
制御部７１は、通信部７４を介して、検査データ取込装置８０からＨＬ７準拠検体検査結果データを受信すると、当該ＨＬ７準拠検体検査結果データを記憶部７５に記憶させ、データベースに登録する（管理する）。
【００５４】
制御部７１は、通信部７４を介して、外部機器から検査データ取得要求を受信すると、当該検査データ取得要求に応じたＨＬ７準拠検体検査結果データを記憶部７５から読み出す。そして、制御部７１は、通信部７４を介して、当該読み出したＨＬ７準拠検体検査結果データを外部機器に送信（提供）する。
【００５５】
制御部７１は、通信部７４を介して、属性情報更新端末６０からＨＬ７準拠検体検査結果データと上書き命令とを受信すると、この上書き命令で指定された記憶部７５に記憶されている元のＨＬ７準拠検体検査結果データに、受信したＨＬ７準拠検体検査結果データを上書きする。
【００５６】
[検査データ取込装置の機能的構成]
図４に、検査データ取込装置８０の機能的構成を示す。
【００５７】
図４に示すように、検査データ取込装置８０は、制御部８１、操作部８２、表示部８３、通信部８４、記憶部８５を備えて構成され、各部はバス８６により接続されている。
【００５８】
制御部８１は、ＣＰＵ、ＲＡＭ等から構成され、検査データ取込装置８０の各部の処理動作を統括的に制御する。具体的には、ＣＰＵは、操作部８２から入力される操作信号又は通信部８４により受信される指示信号に応じて、記憶部８５に記憶されている各種処理プログラムを読み出し、ＲＡＭ内に形成されたワークエリアに展開し、当該プログラムとの協働により各種処理を行う。
【００５９】
操作部８２は、カーソルキー、数字入力キー、及び各種機能キー等を備えたキーボードと、マウス等のポインティングデバイスを備えて構成され、キーボードに対するキー操作やマウス操作により入力された操作信号を制御部８１に出力する。
【００６０】
表示部８３は、ＬＣＤにより構成され、制御部８１から入力される表示データに基づいて各種画面を表示する。
【００６１】
通信部８４は、ＬＡＮアダプタ、ルータ、ＴＡ等を備え、通信ネットワークＮ１を介して接続された検査データ管理サーバ７０、通信ネットワークＮ１及び通信ネットワークＮ２を介して接続された分析器９０等の外部機器との間でデータの送受信を行う。
【００６２】
記憶部８５は、ハードディスク等から構成され、制御プログラム、当該プログラムの実行に必要なパラメータやファイル等を記憶している。また、記憶部８５は、検査データ取込プログラム８５１を記憶している。
【００６３】
制御部８１は、検査データ取込プログラム８５１と協働して、次のように機能する。即ち、制御部８１は、通信部８４を介して、分析器９０から検査データを受信（取得）する。そして、制御部８１は、患者属性情報を生成して検査データに付与する。制御部８１は、ユーザ操作による操作部８２からの操作信号に基づいて、この患者属性情報に値を与える。もしくは、制御部８１は、自動でこの患者属性情報に値を与える。
【００６４】
そして、制御部８１は、この検査データをＨＬ７準拠検体検査結果データとして検査データ管理サーバ７０に通信部８４を介して送信（出力）する。
【００６５】
図５に、検査データのデータ構成と、ＨＬ７準拠検体検査結果データのデータ構成を示す。
【００６６】
図５に示すように、検査データは、検体識別情報、容器識別情報及び結果識別情報を含む。検体識別情報は、検体ＩＤ、採取方法、採取量、採取日時、受領日時等の検体に関する情報である。容器識別情報は、容器ＩＤ、容器容積、添加物、希釈率、温度等の容器に関する情報である。結果識別情報は、検査項目、検査値、単位、基準値、実施者、分析日時、装置ＩＤ等の検査結果に関する情報である。
【００６７】
ＨＬ７準拠検体検査結果データは、ヘッダ情報、患者識別情報（患者属性情報）、来院識別情報（来院情報）、検体識別情報、容器識別情報、結果識別情報及び検査識別情報を含む。患者識別情報は、患者ＩＤ、患者名、生年月日、性別等の患者に関する情報（患者属性情報）である。来院識別情報は、来院番号、来院日時、患者ＩＤ、保険証番号等の患者の来院に関する情報（来院情報）である。検査識別情報は、検査目的、検査内容、取込日時等の検査に関する情報である。
【００６８】
図４に戻り、制御部８１は、分析器９０から検査データ（検体識別情報、容器識別情報及び結果識別情報）を受信すると、この検査データにヘッダ情報、患者識別情報、来院識別情報、検査識別情報等を加えてＨＬ７準拠検体検査結果データを生成する。ここで、患者識別情報、来院識別情報、検査識別情報は空のデータ（無効値）である。
【００６９】
次に、制御部８１は、ユーザ操作による操作部８２からの操作信号に基づき、「患者ＩＤ」「患者名」等の値（有効値）を取得する。例えば、制御部８１は、「患者ＩＤ」の値「０００００００００１」、「患者名」の値「aaa」を取得する。制御部７１は、取得した「患者ＩＤ」「患者名」の値を、検査データに加えた患者識別情報に含まれる「患者ＩＤ」「患者名」の値に反映する（付与する）。この「患者ＩＤ」「患者名」等のような患者属性情報は検査データの識別子である。
【００７０】
もしくは、制御部８１は、自動で（操作部８２からの操作信号によらないで）、検査データに加えた患者識別情報に含まれる「患者ＩＤ」と「患者名」に対して値（有効値）を付与する。具体的に、制御部７１は、「患者ＩＤ」に、「０００００００００１」、「０００００００００２」、「０００００００００３」、…、のように昇順で番号を付与する。制御部８１は、「患者名」に、「unknown^one」、「unknown^two」、「unknown^three」、…、のような文字列を付与する。
【００７１】
尚、制御部８１が検査データに加えた患者属性情報に含まれる「生年月日」「性別」等の値は、空のデータ（無効値）のままである。
【００７２】
次に、制御部８１は、ＨＬ７準拠検体検査結果データを検査データ管理サーバ７０に通信部８４を介して送信する。
【００７３】
[属性情報更新端末の機能的構成]
図６に、属性情報更新端末６０の機能的構成を示す。
【００７４】
図６に示すように、属性情報更新端末６０は、制御部６１、操作部６２、表示部６３、通信部６４、記憶部６５を備えて構成され、各部はバス６６により接続されている。
【００７５】
制御部６１は、ＣＰＵ、ＲＡＭ等から構成され、属性情報更新端末６０の各部の処理動作を統括的に制御する。具体的には、ＣＰＵは、操作部６２から入力される操作信号又は通信部６４により受信される指示信号に応じて、記憶部６５に記憶されている各種処理プログラムを読み出し、ＲＡＭ内に形成されたワークエリアに展開し、当該プログラムとの協働により各種処理を行う。
【００７６】
操作部６２は、カーソルキー、数字入力キー、及び各種機能キー等を備えたキーボードと、マウス等のポインティングデバイスを備えて構成され、キーボードに対するキー操作やマウス操作により入力された操作信号を制御部６１に出力する。
【００７７】
表示部６３は、ＬＣＤにより構成され、制御部６１から入力される表示データに基づいて各種画面を表示する。
【００７８】
通信部６４は、ＬＡＮアダプタ、ルータ、ＴＡ等を備え、通信ネットワークＮ１を介して接続された検査データ管理サーバ７０、医用画像サーバ５０、電子カルテサーバ３０等の外部機器との間でデータの送受信を行う。
【００７９】
記憶部６５は、ハードディスク等から構成され、制御プログラム、当該プログラムの実行に必要なパラメータやファイル等を記憶している。また、記憶部６５は、属性情報更新プログラム６５１を記憶している。
【００８０】
制御部６１は、属性情報更新プログラム６５１と協働して、次のように機能する。即ち、制御部６１は、ユーザ操作による操作部６２からの操作信号に基づいて、患者属性情報の更新対象となるＨＬ７準拠検体検査結果データを取得する旨の信号である検査データ取得要求を検査データ管理サーバ７０に通信部６４を介して送信する。そして、制御部６１は、取得要求に応じたＨＬ７準拠検体検査結果データを取得する。
【００８１】
次に、制御部６１は、ユーザ操作による操作部６２からの指示信号に基づいて、医用画像サーバ５０や電子カルテサーバ３０に患者属性情報取得要求を送信し、取得要求に応じた患者属性情報を受信（取得）する。
【００８２】
次に、制御部６１は、検査データ管理サーバ７０から取得したＨＬ７準拠検体検査結果データに含まれる患者属性情報に、情報処理装置（医用画像サーバ５０や電子カルテサーバ３０）から取得した患者属性情報を上書きする。
【００８３】
そして、制御部６１は、患者属性情報が上書きされたＨＬ７準拠検体検査結果データと上書き命令とを検査データ管理サーバ７０に通信部６４を介して送信する。
【００８４】
例えば、図７に示すように、制御部６１は、医用画像サーバ５０において記憶管理されているＤＩＣＯＭ準拠画像データから患者属性情報を取得する。制御部６１は、取得した患者属性情報を、検査データ管理サーバ７０から取得されたＨＬ７準拠検体検査結果データの患者識別情報（患者属性情報）に上書きする。制御部６１は、このＨＬ７準拠検体検査結果データを上書き命令と共に、検査データ管理サーバ７０に通信部６４を介して送信する。
【００８５】
[検査データを保存する場合の、診断システムにおける各装置の具体的な動作]
次に、検査データを保存する場合に、診断システム１００において実行される各装置の具体的な動作について、図８を用いて説明する。
【００８６】
まず、医師が、医療施設に来院した患者に対して検体検査が必要であると判断した場合、患者から検体を採取する。そして、この検体は、容器に格納されて分析センターに送られる。
【００８７】
分析センターに設置された分析器９０は、この検体を分析し、検査項目毎に結果を取得し、検査データを生成する（ステップＳ１）。例えば、検体が血液の場合、検査データの結果識別情報には、複数の検査項目「総蛋白」「ＧＯＴ」「ＧＰＴ」「ＬＤＨ」が含まれる。そして、結果識別情報には、これらの各検査項目に対応する「検査値」「単位」「基準値」「実施者」「分析日時」「装置ＩＤ」が含まれる。
【００８８】
次に、分析器９０は、生成した検査データを通信ネットワークＮ２を介して検査データ取込装置８０に送信する（ステップＳ２）。
【００８９】
検査データ取込装置８０の制御部８１は、受信した検査データに空のデータである患者識別情報（患者属性情報）等を加えて、ＨＬ７準拠検体検査結果データを生成する。
【００９０】
医師等のユーザは、操作部８２に対して、「患者ＩＤ」「患者名」等の値を入力する旨の操作を行う。制御部８１は、このユーザ操作による操作部８２からの操作信号に基づき、検査データに加えた患者属性情報に含まれる「患者ＩＤ」「患者名」に値を与える。もしくは、制御部８１は、検査データに加えた患者識別情報に含まれる「患者ＩＤ」「患者名」に対して、自動で値を与える。即ち、制御部８１は、識別子を検査データに付与する（ステップＳ３）。
【００９１】
そして、制御部８１は、生成したＨＬ７準拠検体検査結果データを検査データ管理サーバ７０に送信する（ステップＳ４）。
【００９２】
検査データ管理サーバ７０の制御部７１は、通信部７４を介して、検査データ取込装置８０からＨＬ７準拠検体検査結果データを受信すると、このＨＬ７準拠検体検査結果データを記憶部７５に記憶させ（保存し）、データベースに登録する（ステップＳ５）。
【００９３】
医師は、クライアントＰＣ２０において、ステップＳ３で付与された患者ＩＤや患者名に基づいてＨＬ７準拠検体検査結果データを検索する旨のユーザ操作を行う。クライアントＰＣ２０は、ステップＳ３で付与された患者ＩＤや患者名を含む検査データ取得要求を生成し、検査データ管理サーバ７０に送信する。検査データ管理サーバ７０の制御部７１は、受信した検査データ取得要求に含まれる患者ＩＤや患者名に基づいて、取得要求に応じたＨＬ７準拠検体検査結果データを記憶部７５から読み出す。そして、制御部７１は、当該読み出したＨＬ７準拠検体検査結果データをクライアントＰＣ２０に送信する。クライアントＰＣ２０は、このＨＬ７準拠検体検査結果データを受信（取得）する。
【００９４】
クライアントＰＣ２０は、ユーザの操作による操作信号に基づいて、ＨＬ７準拠検体検査結果データに基づく検査データを画面に表示する。
【００９５】
[検査データの患者属性情報を更新する場合の、診断システムにおける各装置の具体的な動作]
次に、検査データの患者属性情報を更新する場合に、診断システム１００において実行される各装置の具体的な動作について、図９を用いて説明する。
【００９６】
医師は、属性情報更新端末６０において、日付や時刻等の情報を入力し、検査データ管理サーバ７０に記憶管理されているＨＬ７準拠検体検査結果データの中から、患者属性情報を更新したいＨＬ７準拠検体検査結果データの検索を行う。
【００９７】
属性情報更新端末６０の制御部６１は、ユーザ操作による操作部６２からの操作信号に基づいて、更新対象の検査データ取得要求を生成する。この検査データ取得要求には、日付、時刻等の情報が含まれる。制御部６１は、生成した検査データ取得要求を検査データ管理サーバ７０に通信部６４を介して送信する（ステップＳ１０１）。
【００９８】
検査データ管理サーバ７０の制御部７１は、属性情報更新端末６０から検査データ取得要求を通信部７４を介して受信すると、取得要求に応じたＨＬ７準拠検体検査結果データを記憶部７５から読み出し、属性情報更新端末６０に送信する（ステップＳ１０２）。具体的に、制御部７１は、検査データ取得要求に含まれる日付や時刻の情報に合致する「分析日時」を含んだＨＬ７準拠検体検査結果データを記憶部７５から読み出し、属性情報更新端末６０に送信する。
【００９９】
次に、医師は、属性情報更新端末６０において、患者ＩＤを入力し、診断システム１００内の情報処理装置（医用画像サーバ５０、電子カルテサーバ３０等）に記憶管理されている患者属性情報の中から、入力した患者ＩＤを持つ患者属性情報の検索を行う。
【０１００】
属性情報更新端末６０の制御部６１は、ユーザ操作による操作部６２からの操作信号に基づいて、患者ＩＤの値を取得する（ステップＳ１０３）。制御部６１は、この患者ＩＤの値を検索条件とする患者属性情報取得要求を生成する。そして、制御部６１は、この取得要求を医用画像サーバ５０、電子カルテサーバ３０等に送信し、取得要求に応じた患者属性情報を検索し、取得する（ステップＳ１０４、Ｓ１０５、Ｓ１０６）。
【０１０１】
具体的に、制御部６１は、生成した患者ＩＤを含む患者属性情報取得要求を、医用画像サーバ５０と電子カルテサーバ３０に送信する。医用画像サーバ５０は、属性情報更新端末６０から患者属性情報取得要求を受信すると、この患者属性情報取得要求に含まれる患者ＩＤの値を持つＤＩＣＯＭ画像データ（医療データ）を検索する。医用画像サーバ５０は、患者属性情報取得要求に含まれる患者ＩＤの値を持つＤＩＣＯＭ画像データを記憶管理している場合、このＤＩＣＯＭ画像データから患者属性情報を抽出し、属性情報更新端末６０に送信する。電子カルテサーバ３０は、属性情報更新端末６０から患者属性情報取得要求を受信すると、この患者属性情報取得要求に含まれる患者ＩＤの値を持つ医療データ（来院情報、診療録データ、処方データ等）を検索する。電子カルテサーバ３０は、患者属性情報取得要求に含まれる患者ＩＤの値を持つ医療データを記憶管理している場合、この医療データから患者属性情報を抽出し、属性情報更新端末６０に送信する。
【０１０２】
属性情報更新端末６０の制御部６１は、情報処理装置から取得した患者属性情報に基づいて、ステップＳ１０２において送信された（更新対象の）ＨＬ７準拠検体検査結果データの患者属性情報を更新する（ステップＳ１０７）。制御部６１は、このＨＬ７準拠検体検査結果データと上書き命令とを検査データ管理サーバ７０に送信する（ステップＳ１０８）。
【０１０３】
検査データ管理サーバ７０の制御部７１は、属性情報更新端末６０からＨＬ７準拠検体検査結果データを受信すると、このデータに基づいて、ステップＳ１０２において送信された（取得要求に応じた）ＨＬ７準拠検体検査結果データを更新する（ステップＳ１０９）。
【０１０４】
[属性情報更新処理の更新結果]
図１０に、属性情報更新端末６０が行う属性情報更新処理の更新結果について説明する。
【０１０５】
まず、診断システム１００において、医用画像サーバ５０は、患者Ａと医用画像Ｃとを関連付けて管理している。具体的に、医用画像サーバ５０は、患者Ａに対応する患者属性情報を含んだＤＩＣＯＭ準拠画像データＣを記憶管理している。
【０１０６】
また、診断システム１００に、身元不明患者（患者Ｂ）の検査データＤと検査データＥとを取り込む際、検査データ取込装置８０において仮の患者識別情報（患者ＩＤ、患者名）が付与されたとする。これにより、検査データ管理サーバ７０は、身元不明患者である患者Ｂと検査データＤ及び検査データＥとを関連付けて管理することになる。具体的に、検査データ管理サーバ７０は、患者Ｂに対応する患者識別情報を含んだＨＬ７準拠検体検査結果データＤとＨＬ７準拠検体検査結果データＥとを記憶管理している。
【０１０７】
そして、身元不明患者（患者Ｂ）が患者Ａであると判明したとする。医師は、属性情報更新端末６０に対して、検査データＤと検査データＥを指定し、患者Ａを指定するユーザ操作を行う。これらのユーザ操作に基づいて、属性情報更新端末６０が属性情報更新処理を行うと、検査データ管理サーバ７０は、患者Ｂに代わって患者Ａを、検査データＤ及び検査データＥに関連付けて管理する。尚、医用画像サーバ５０は、属性情報更新処理前と同様、患者Ａと医用画像Ｃとを関連付けて管理している。
【０１０８】
このように、属性情報更新端末６０は、属性情報更新処理を行うことにより、身元不明患者（患者Ｂ）と関連付けられていた検査データＤ及び検査データＥを、ユーザが選択した診断システム１００内の情報である患者Ａと関連付けることができる。
【０１０９】
以上、本実施の形態によれば、属性情報更新端末６０は、患者属性情報を管理する情報処理装置（電子カルテサーバ３０、医用画像サーバ５０）に患者属性情報取得要求を送信し、取得要求に応じた患者属性情報を取得する。属性情報更新端末６０は、この患者属性情報に基づいて、検査データ管理サーバ７０よって記憶管理されている検査データの患者属性情報を更新させる命令（更新対象のＨＬ７準拠検体検査結果データと上書き命令）を生成する。属性情報更新端末６０は、更新対象のＨＬ７準拠検体検査結果データと上書き命令とを検査データ管理サーバ７０に送信する。検査データ管理サーバ７０は、更新対象のＨＬ７準拠検体検査結果データと上書き命令とに基づいて、元のＨＬ７準拠検体検査結果データを更新する。
【０１１０】
そのため、ユーザは、変更（更新）対象となる検査データの患者属性情報の値を手入力する必要がない。具体的には、ユーザは、属性情報更新端末６０において、患者ＩＤを指定するのみで、この患者ＩＤに関する「患者名」「生年月日(年齢)」「性別」等の値を手入力する必要がない。更に、検査データ管理サーバ７０に検査データを取り込む際、無効値であった「生年月日」「性別」等に、手入力無しで有効値を与えることができる。
【０１１１】
よって、検体に関する検査データの患者属性情報を変更する際の利便性を向上させることができる。
【０１１２】
尚、本実施の形態における記述は、本発明に係る属性情報更新端末の一例であり、これに限定されるものではない。システム及び各装置の細部構成及び細部動作に関しても適宜変更可能である。
【０１１３】
また、本実施の形態では、プログラムを格納したコンピュータ読み取り可能な媒体としてハードディスクを使用した例を開示したが、この例に限定されない。その他のコンピュータ読み取り可能な媒体として、フラッシュメモリ等の不揮発性メモリ等を適用することが可能である。また、プログラムのデータを通信回線を介して提供する媒体として、キャリアウェーブ（搬送波）も適用可能である。
【図面の簡単な説明】
【０１１４】
【図１】診断システムのシステム構成図である。
【図２】属性情報更新端末が行う属性情報更新処理のデータフロー図である。
【図３】検査データ管理サーバのブロック図である。
【図４】検査データ取込装置のブロック図である。
【図５】検査データ及びＨＬ７検査データファイルのデータ構成図である。
【図６】属性情報更新端末のブロック図である。
【図７】ＨＬ７準拠検体検査結果データの患者属性情報を更新する際のデータイメージ図である。
【図８】検査データを保存する場合に、診断システムにおいて実行される処理を示すラダーチャートである。
【図９】検査データを保存する場合に、診断システムにおいて実行される処理を示すラダーチャートである。
【図１０】属性情報更新処理の更新結果を示すイメージ図である。
【符号の説明】
【０１１５】
１０      医事会計システム
２０      クライアントＰＣ
３０      電子カルテサーバ
４０      モダリティ
５０      医用画像サーバ
６０      属性情報更新端末
６１      制御部
６２      操作部
６３      表示部
６４      通信部
６５      記憶部
６６      バス
７０      検査データ管理サーバ
７１      制御部
７２      操作部
７３      表示部
７４      通信部
７５      記憶部
７６      バス
８０      検査データ取込装置
８１      制御部
８２      操作部
８３      表示部
８４      通信部
８５      記憶部
８６      バス
９０      分析器
１００    診断システム
６５１    属性情報更新プログラム
８５１    検査データ取込プログラム
Ｎ１      通信ネットワーク
Ｎ２      通信ネットワーク
【図１】
2010146348.tif 000003
【図２】
2010146348.tif 000004
【図３】
2010146348.tif 000005
【図４】
2010146348.tif 000006
【図５】
2010146348.tif 000007
【図６】
2010146348.tif 000008
【図７】
2010146348.tif 000009
【図８】
2010146348.tif 000010
【図９】
2010146348.tif 000011
【図１０】
2010146348.tif 000012